(57)【要約】【課題】  記録用の露光動作の期間に被写体をリアルタイムで表示しつつ、綺麗な記録画像を得ることのできる撮像装置を提供する。【解決手段】  長秒モニタリングモードにおいて、本露光動作中にもＬＣＤ４に被写体の状態を表示するため、撮像素子１１における分割画素における受光部１１１の受光面を２分割（上受光部１１１ａと下受光部１１１ｂ）することで、１つの垂直転送路１１２に対して２つの受光部（上受光部１１１ａ及び下受光部１１１ｂ）を備えるようにする。そして、本露光動作の期間は、この分割画素の上受光部１１１ａの画素信号を読み出し、この画素信号を用いてライブビュー画像を生成する。また、シャッターボタン９により本露光動作の終了が指示されると、一般画素の画素信号と分割画素における下受光部１１１ｂから出力される画素信号とを用いて記録画像を生成する。【選択図】      図４
2005117276.tif 000002
【特許請求の範囲】
【請求項１】
それぞれ異なる色を受光する複数種類の画素を備え、各画素を一方向に配列してなる画素ラインが前記一方向と交差する交差方向に複数配置してなり、前記複数の画素ラインのうち前記交差方向に所定の間隔で並ぶ第１の画素ラインが、同色の光を受光する受光部を１の転送部に対して２つ以上備える画素により構成される撮像素子と、
所定の記録部に記録する記録用画素信号を生成するための露光動作の開始を前記撮像素子に指示するための入力操作部と、
前記入力操作部により前記露光開始指示が行われると、前記第１の画素ラインに位置する各画素の一部の受光部から所定の時間間隔で画素信号を出力させる撮像制御部と、
前記一部の受光部から得られる画素信号により画像を生成する第１画像生成部と、
前記第１画像生成部により生成された画像を表示する画像表示部と
を備えることを特徴とする撮像装置。
【請求項２】
前記入力操作部により前記露光開始指示が行われると、前記撮像素子における前記一部の受光部以外の他の受光部による露光動作によって得られる画素信号を用いて、前記所定の記録部に記録するための画像を生成する第２画像生成部と、前記第２画像生成部により生成される画像を前記所定の記録部に記録する記録制御部とを備えることを特徴とする請求項１に記載の撮像装置。
【請求項３】
前記第１の画素ラインに位置する画素の各受光部の受光面積が、前記第１の画素ライン以外の第２の画素ラインに位置する画素の各受光部の受光面積と異なるとき、前記第２画像生成部は、前記第１の画素ラインに位置する各画素における各受光部により得られる画素信号の画素値を、前記第２の画素ラインに位置する画素の各受光部により得られる画素信号の画素値と異なる増幅率で増幅することを特徴とする請求項２に記載の撮像装置。
【請求項４】
前記第１の画素ラインに位置する画素における前記一部の受光部以外の他の受光部が前記一部の受光部のｎ倍の受光面積を有するとき、前記第２画像生成部は、前記他の受光部により得られる画素信号の増幅率を、前記第２の画素ラインに位置する画素の受光部により得られる画素信号の増幅率の略（１＋１／ｎ）倍に設定することを特徴とする請求項３に記載の撮像装置。
【請求項５】
前記撮像素子は、各画素が同色の光を受光する受光部を１の転送部に対して２つ備えるインターライン型の撮像素子であることを特徴とする請求項１または２に記載の撮像装置。
【発明の詳細な説明】
【技術分野】
【０００１】
本発明は、記録用の画素信号を生成するための露光動作中に被写体の画像を表示する機能を備えた撮像装置に関する。
【背景技術】
【０００２】
従来、液晶表示器等の表示器を備えるデジタルカメラにおいて、露光中の被写体を表示器で確認できるようにする技術として、例えば特許文献１に記載の技術がある。
【０００３】
特許文献１には、撮像素子の画素配列面を、水平方向の２ラインごとに２つのフィールドに分割するとともに、一方のフィールドの画素ラインから得られる画像データを記録用として用い、他方のフィールドの画素ラインから得られる画像データを液晶表示器等への表示用として用いる技術が開示されている。
【特許文献１】特開２００２−１３５６２６号公報
【発明の開示】
【発明が解決しようとする課題】
【０００４】
しかしながら、上記特許文献１の技術においては、露光中に撮像素子の画素数の略半分の画素から画像信号を読み出すこととなるから、撮像素子の画素数が高画素化すると、撮像素子から画像信号を読み出すのに時間を要し、表示器における画像の表示周期が長くなる。また、この場合、表示器への表示用として利用する画素からは記録用の画素信号が得られないから、この部分で画像の補間処理を行わないと画像の歪み等が生じ、綺麗な記録画像を得ることが困難である。
【０００５】
本発明は、上記事情に鑑みてなされたもので、記録用の露光中の期間に被写体の画像をリアルタイムで表示するとともに、綺麗な記録画像を得ることのできる撮像装置を提供することを目的とする。
【課題を解決するための手段】
【０００６】
請求項１に記載の発明は、それぞれ異なる色を受光する複数種類の画素を備え、各画素を一方向に配列してなる画素ラインが前記一方向と交差する交差方向に複数配置してなり、前記複数の画素ラインのうち前記交差方向に所定の間隔で並ぶ第１の画素ラインが、同色の光を受光する受光部を１の転送部に対して２つ以上備える画素により構成される撮像素子と、所定の記録部に記録する記録用画素信号を生成するための露光動作の開始を前記撮像素子に指示するための入力操作部と、前記入力操作部により前記露光開始指示が行われると、前記第１の画素ラインに位置する各画素の一部の受光部から所定の時間間隔で画素信号を出力させる撮像制御部と、前記一部の受光部から得られる画素信号により画像を生成する第１画像生成部と、前記第１画像生成部により生成された画像を表示する画像表示部とを備えることを特徴とする撮像装置である。
【０００７】
請求項２に記載の発明は、請求項１に記載の撮像装置において、前記入力操作部により前記露光開始指示が行われると、前記撮像素子における前記一部の受光部以外の他の受光部による露光動作によって得られる画素信号を用いて、前記所定の記録部に記録するための画像を生成する第２画像生成部と、前記第２画像生成部により生成される画像を前記所定の記録部に記録する記録制御部とを備えることを特徴とするものである。
【０００８】
請求項３に記載の発明は、請求項２に記載の撮像装置において、前記第１の画素ラインに位置する画素の各受光部の受光面積が、前記第１の画素ライン以外の第２の画素ラインに位置する画素の各受光部の受光面積と異なるとき、前記第２画像生成部は、前記第１の画素ラインに位置する各画素における各受光部により得られる画素信号の画素値を、前記第２の画素ラインに位置する画素の各受光部により得られる画素信号の画素値と異なる増幅率で増幅することを特徴とするものである。
【０００９】
請求項４に記載の発明は、請求項３に記載の撮像装置において、前記第１の画素ラインに位置する画素における前記一部の受光部以外の他の受光部が前記一部の受光部のｎ倍の受光面積を有するとき、前記第２画像生成部は、前記他の受光部により得られる画素信号の増幅率を、前記第２の画素ラインに位置する画素の受光部により得られる画素信号の増幅率の略（１＋１／ｎ）倍に設定することを特徴とするものである。
【００１０】
請求項５に記載の発明は、請求項１または２に記載の撮像装置において、前記撮像素子は、各画素が同色の光を受光する受光部を１の転送部に対して２つ備えるインターライン型の撮像素子であることを特徴とする。
【発明の効果】
【００１１】
請求項１に記載の発明によれば、入力操作部により露光開始指示が行われると、同色の光を受光する受光部を１の転送部に対して２つ以上備える画素により構成される第１の画素ラインの各画素の一部の受光部から所定の時間間隔で画素信号を出力させ、前記一部の受光部から得られる画素信号により画像を生成し、この画像を画像表示部に表示するようにしたので、所定の記録部に記録する記録用画素信号を生成するための露光動作を行いながら、被写体の画像を確実にリアルタイムで画像表示部に表示することが可能となる。
【００１２】
請求項２に記載の発明によれば、入力操作部により露光開始指示が行われると、撮像素子における前記一部の受光部以外の他の受光部による露光動作によって得られる画素信号を用いて、所定の記録部に記録するための画像を生成するようにしたので、従来に比して綺麗な画像を得ることができる。
【００１３】
すなわち、１つの画素において１つの受光部しか設けず、特定の画素ラインを画像表示部への表示用として用いる従来の場合には、この画素ラインの画素から記録画像を構成する画素信号は出力されないから、記録画像のうちこの特定の画素ラインに対応する部位で画像が欠落することとなる。これに対し、本発明によれば、第１の画素ラインの各画素における前記他の受光部の画素信号を該第１の画素ラインの画素の画素信号として用いることで、この第１の画素ラインから記録画像を構成する画素信号が得られるから、欠落する部位のない綺麗な画像を得ることができる。
【００１４】
請求項３に記載の発明によれば、前記第１の画素ラインに位置する画素の各受光部の受光面積が第２の画素ラインに位置する画素の各受光部の受光面積と異なるとき、第１の画素ラインに位置する各画素における各受光部により得られる画素信号の画素値を、第２の画素ラインに位置する画素の各受光部により得られる画素信号の画素値と異なる増幅率で増幅するようにしたので、これらの画素値のレベル差に応じて、各画素信号の増幅率を設定することができる。また、ラインごとに増幅率を変更するため、画素ごとに増幅率を変更する構成に比して、撮像素子を始めとするハード構成が簡単になる。
【００１５】
請求項４に記載の発明によれば、第１の画素ラインの画素における前記他の受光部が前記一部の受光部のｎ倍の受光面積を有するとき、前記他の受光部により得られる画素信号の増幅率を、前記第２の画素ラインに位置する画素の受光部により得られる画素信号の増幅率の略（１＋１／ｎ）倍に設定するようにしたので、前記他の受光部と第２の画素ラインの画素とにより得られる画素信号を用いて記録画像を生成する場合に、前記他の受光部により得られる画素信号のレベルが、第２の画素ラインに位置する画素により得られる画素信号のレベルと同等となる。これにより、部分的な画素値のレベル差が無い、もしくはレベル差の少ない綺麗な記録画像を得ることができる。
【００１６】
請求項５に記載の発明によれば、撮像素子として、各画素が同色の光を受光する受光部を１の転送部に対して２つ備えるインターライン型の撮像素子を採用したので、コストを抑制しつつ、所定の記録部に記録する記録用画素信号を生成するための露光動作の開始が指示されたときに画像表示部に被写体の画像を表示する構成等を実現することができる。
【発明を実施するための最良の形態】
【００１７】
本発明に係る撮像装置の実施形態について説明する。
【００１８】
図１は、撮像装置１の正面図、図２は、撮像装置１の背面図である。
【００１９】
図１、図２に示すように、撮像装置１は、電源ボタン２と、光学系３と、ＬＣＤ（Liquid Crystal Display）表示部４と、光学ファインダー５と、内蔵フラッシュ６と、モード設定スイッチ７と、４連スイッチ８と、シャッターボタン９と、長秒モニタリングスイッチ１０とを備える。
【００２０】
電源ボタン２は、撮像装置１の電源のオンオフを切り替えるものである。
【００２１】
光学系３は、ズームレンズや図略のメカニカルシャッター等を備えてなり、ＣＣＤ（Charge Coupled Device）等の撮像素子１１（図３参照）の撮像面に、被写体の光学像を結像するものである。
【００２２】
ＬＣＤ４は、ライブビュー画像及び後述するメモリカードｍ（図３参照）に記録する画像（記録画像）の表示や、メモリカードｍに記録された画像の再生表示等を行うものである。
【００２３】
ライブビュー画像は、被写体の画像を記録するまでの期間、一定の周期（１／３０秒）でＬＣＤ４に切換表示される撮像素子１１で撮像された画像をいい、このライブビュー画像により、被写体の状態が略リアルタイムでＬＣＤ４に表示され、撮影者は被写体の状態をＬＣＤ４で確認することができる。
【００２４】
光学ファインダー５は、被写体が撮影される範囲を光学的に観察できるようにするものである。
【００２５】
内蔵フラッシュ６は、撮像素子１１への露光量が不足している場合等に、該被写体に照明光を照射するものである。
【００２６】
モード設定スイッチ７は、被写体像の撮影を行なう「撮影モード」と、メモリカードｍに記録された撮影画像をＬＣＤ４に再生表示する「再生モード」と、各種機能の設定を行うための「メニューモード」との間でモードの切換設定を行うためのスイッチである。モード設定スイッチ７は、上下にスライドする３接点のスライドスイッチからなり、下にセットすると撮像装置１は撮影モードに設定され、中央にセットすると再生モードに設定され、上にセットするとメニューモードに設定される。
【００２７】
４連スイッチ８は、詳細には説明しないが、ズームレンズの光軸方向への移動や、露出補正、あるいはＬＣＤ４に再生する記録画像のコマ送り等を行うためのスイッチである。また、本実施形態の撮像装置１は、撮影モードの種類として、プログラムＡＥモード、絞り優先ＡＥモード、シャッター速度優先ＡＥモード、マニュアルモード及びバルブ撮影モードが備えられており、モード設定スイッチ７によりメニューモードが設定された状態で４連スイッチ８が操作されることにより、これらのモードを切り換えることができる。
【００２８】
プログラムＡＥモードは、予め設定されたＡＥ（Auto Exposure）プログラムにしたがって絞り値とシャッタースピードとの組合せを自動的に設定するモードであり、絞り優先ＡＥモードは、撮影者により予め設定された絞り値でシャッタースピードを設定して撮像を行うモードであり、シャッター速度優先ＡＥモードは、撮影者により予め設定されたシャッタースピードで絞り値を設定して撮像を行うモードであり、マニュアルモードは、撮影者により予め設定されたシャッタースピードと絞り値とで露光時間で撮像を行うモードである。
【００２９】
また、バルブ撮影モードは、図略のメカニカルシャッターを開閉するタイミングを撮影者がシャッターボタン９で指示するバルブ撮影を行うモードであり、シャッターボタン９が完全に押し切られる（以下、この操作を全押し操作という）ことで電子シャッターにより記録用の露光動作が開始され、シャッターボタン９の全押しが解除されることでメカニカルシャッターが閉じてその露光動作が終了される。したがって、このバルブ撮影モードでは、撮像装置１に比較的長時間（例えば１０秒など）露光させて被写体を撮影することができる。
【００３０】
シャッターボタン９は、２段階（半押し及び全押し）で押圧操作されるボタンであり、露出制御のタイミングを指示するためのものである。前記各撮影モードにおいて、シャッターボタン９が操作されていない状態では、１／３０（秒）毎に被写体の光学像が取り込まれ、ＬＣＤ４へのライブビュー画像の表示が行われる。また、撮像装置１は、前述のプログラムＡＥモード、絞り優先ＡＥモード、シャッター速度優先ＡＥモード及びマニュアルモードでは、シャッターボタン９が半押しされることで、ライブビュー画像の表示に加えてシャッタースピードや絞り値等の設定が行われる撮像待機状態に設定され、全押し操作されることで、メモリカードｍに記録する被写体の光学像が決定される。なお、バルブ撮影モードにおけるシャッターボタン９の機能は前述の通りである。
【００３１】
ここで、本実施形態の撮像装置１は、前述したいずれかの撮影モードの設定時であって後述の長秒モニタリングモードに設定された場合に、記録用の画素信号を生成するための露光動作（以下、本露光動作という）の開始がシャッターボタン９により指示されるまでの期間だけでなく、本露光動作の期間中にも、被写体の状態（より正確にはメモリカードｍに記録される画像の状態）をライブビュー画像としてリアルタイムでＬＣＤ４に表示するようにしているところに特徴を有している。
【００３２】
本露光動作の期間（記録用の画素信号の生成期間）は、プログラムＡＥモード及び絞り優先ＡＥモードでは、シャッターボタン９の全押し操作後であって、撮像装置１で算出されたシャッタースピードに相当するシャッター開放期間に相当し、シャッター速度優先ＡＥモードでは、シャッターボタン９の全押し操作後であって、予め撮影者により設定されたシャッタースピードに相当するシャッター開放期間に相当し、マニュアルモードでは、シャッターボタン９の全押し操作後、撮影者により予め設定された時間（露光時間）が経過するまでの期間に相当し、バルブ撮影モードではシャッターボタン９の全押し状態が継続している期間に略相当する。
【００３３】
長秒モニタリングスイッチ１０は、前述したいずれかの撮影モードの設定時において、本露光動作期間が予め設定されたライブビュー画像の表示周期（例えば１／３０秒）より著しく長いときに、その本露光動作の期間にもライブビュー画像をＬＣＤ４に表示するモード（長秒モニタリングモード）に設定するためのものであり、押圧する毎に、長秒モニタリングモードの設定／非設定が交互に切り換えられる。なお、この長秒モニタリングモードは、特にバルブ撮影モードが設定されている場合に有効なものであるため、以下の説明においては、撮像装置１がバルブ撮影モードに設定されている場合について説明することとする。
【００３４】
図３は、撮像装置１のシステムを示すブロック構成図である。同図において、図１，図２に示した部材と同一部材には同一の番号を付している。
【００３５】
撮像装置１は、光学系３と、ＬＣＤ４と、撮像素子１１と、タイミングジェネレータ１２と、信号処理部１３、Ａ／Ｄ変換部１４と、画像メモリ１５と、ＶＲＡＭ（Video Random Access Memory）１６と、操作部１７と、制御部１８とを備えて構成されている。
【００３６】
光学系３は、図１に示す光学系３に相当するものであり、前述したようにメカニカルシャッターを備える。ＬＣＤ４は、図２に示すＬＣＤ４に相当するものである。
【００３７】
図４は、撮像素子１１における画素の配列構造（ａ）と、ライブビュー画像の表示用として用いられる画素（ｂ）と、メモリカードｍへの記録用として用いられる画素（ｃ）を示す図である。
【００３８】
撮像素子１１は、例えばフォトダイオード等で構成される複数の光電変換素子がマトリックス状に２次元配列され、各光電変換素子の受光面に、それぞれ分光特性の異なる例えばＲ（赤），Ｇ（緑），Ｂ（青）のカラーフィルタが１：２：１の比率で配設されてなるベイヤー配列のＣＣＤカラーエリアセンサである。以下、光電変換素子にカラーフィルタが配設されたものを撮像素子１１の画素という。撮像素子１１は、光学系３により結像された被写体の光像をＲ（赤），Ｇ（緑），Ｂ（青）各色成分のアナログの電気信号（画像信号）に変換し、Ｒ，Ｇ，Ｂ各色の画像信号として出力する。
【００３９】
撮像素子１１は、詳細には説明しないが、フォトダイオード等からなる受光部、垂直転送部、及び水平転送部等を備えてなるインターライン型の撮像素子であり、プログレッシブ転送方式により各画素の電荷が取り出される。すなわち、各受光部で蓄積された電荷は、垂直同期信号により垂直転送部に転送され、各垂直転送部に転送された電荷は、水平同期信号により水平転送路に近い画素から順に該水平転送路に転送されることで、該電荷が画素信号として取り出される。このような撮像素子１１における各画素の出力信号の読出し（水平同期、垂直同期）等の撮像動作や、撮像素子１１による露光動作の開始及び終了のタイミングは、後述のタイミングジェネレータ１２等により制御される。
【００４０】
このようなプログレッシブ転送方式により、長秒モニタリングモードの設定時及び非設定時においてそれぞれ本露光動作が終了すると、略全ての画素から画素信号が取り出される。
【００４１】
以上の構成に加えて、本実施形態では、長秒モニタリングモードの設定時においては、本露光動作の期間にもライブビュー画像をＬＣＤ４に表示する構成を実現すべく、撮像素子１１の垂直方向に並ぶ複数の画素ラインのうち前述の特定の画素ライン（図４においては、例えば３番目、８番目及び１３番目の画素ライン）に位置する画素について、その受光部１１１の受光面を２分割している。受光部１１１の受光面が２分割された画素を分割画素、分割画素の上段の受光部を上受光部１１１ａ、下段の受光部を下受光部１１１ｂ、撮像素子１１における上記分割画素以外の画素（図４では３番目、８番目及び１３番目以外の受光部１１１が２分割されていない画素）を一般画素というものとする。各画素における上受光部１１１ａ及び下受光部１１１ｂは同じ色の光を受光する。
【００４２】
そして、長秒モニタリングモードの設定でバルブ撮影モード時において、シャッターボタン９の全押し操作の開始により本露光動作の開始（記録用の画素信号の生成開始）の指示が行われると、撮像素子１１の略全ての画素による露光動作が行われる。そして、分割画素における上受光部１１１ａから画素信号が所定の時間間隔で取り出され、その取り出した画素信号を用いて順次ライブビュー画像が生成される。これにより、ＬＣＤ４に一定の時間間隔でライブビュー画像が表示される。このとき、分割画素における下受光部１１１ｂ及び一般画素は、画素信号が取り出されることなく露光動作を継続して行う。その後、シャッターボタン９の全押し操作の解除により本露光動作の終了が指示され、分割画素における下受光部１１１ｂ及び一般画素から画素信号が取り出されると、その取り出された画素信号を用いて記録画像が生成される。
【００４３】
その際、後述するように、各分割画素における下受光部１１１ｂは、各一般画素の受光部１１１に対し、受光面積が約半分であることから、露光量が一般画素に対して約１／２となる。よって、前述の上受光部１１１ａ及び下受光部１１１ｂから出力される画素信号の画素値は、一般画素の画素信号の画素値に対して約半分のレベルとなるため、その状態でライブビュー画像を生成した場合には、ＬＣＤ４に表示される画像は全体的に暗いものとなり、記録画像を生成した場合には、前述した画素値の低い部分（分割画素の画素ラインの位置に対応する部分）が周囲に比して黒っぽい筋の画像Ｐとして現れることとなる（図８（ｄ）参照）。
【００４４】
そこで、各分割画素における上受光部１１１ａ及び下受光部１１１ｂから出力される画素信号の増幅率については、各一般画素の画素信号の画素値と略同レベルとなるように、一般画素に対する増幅率の２倍に設定し、前述したような筋の発生を防止または抑制するようにしている。
【００４５】
一方、長秒モニタリングモードの非設定時には、シャッターボタン９の全押し操作の開始により本露光動作の開始（記録用の画素信号の生成開始）の指示が行われると、撮像素子１１の略全ての画素による露光動作が行われる。そして、シャッターボタン９の全押し操作が解除されるまでの期間、略全ての画素は、画素信号が取り出されることなく露光動作を継続して行う。そのため、ＬＣＤ４には何も表示されない。その後、シャッターボタン９の全押し操作が解除されると、露光動作を継続して電荷を蓄積していた略全ての画素による本露光動作が終了しこれらの画素から画素信号が取り出され、その取り出された画素信号を用いて記録画像が生成される。その際、上受光部１１１ａ及び下受光部１１１ｂから出力される各画素信号は、垂直転送路１１２で加算され、１の画素の画素信号として出力される。
【００４６】
なお、長秒モニタリングモードの設定時及び非設定時において、シャッターボタン９の全押し操作の開始により本露光動作が開始されるまでの期間は、図５に示すように、分割画素における両方の受光部１１１ａ，１１１ｂから得られる画素信号を用いてライブビュー画像が生成される。その際、各分割画素における両方の受光部１１１ａ，１１１ｂから出力される画素信号を垂直転送路１１２で加算した上で、１の画素の画素信号として出力する。
【００４７】
ライブビュー画像をＬＣＤ４に表示すべく選定される前述した特定の画素ラインは、適切な色が再現されるように、異種の画素ラインが交互に位置する（選定される画素がベイヤー配列になる）ように選定される。
【００４８】
また、撮像装置１は、撮像素子１１の画素数とＬＣＤ４の表示画素数との比に応じて特定の画素ラインが選定された撮像素子１１が搭載されている。例えば、図４においては、撮像素子１１の垂直方向における画素数が例えば１２００（個）、ＬＣＤ４の垂直方向における表示画素数が２４０（個）の場合で、５つの画素ライン毎に１つの画素ラインが分割画素ラインとして設定された撮像素子１１の構造を示している。
【００４９】
タイミングジェネレータ１２は、制御部１８から送信される基準クロックＣＬＫ０に基づいて、撮像素子１１の駆動制御信号、例えば積分開始／終了（露出開始／終了）のタイミング信号、各画素の受光信号の読出制御信号（水平同期信号，垂直同期信号等）等のクロック信号を生成し、撮像素子１１に出力する。
【００５０】
信号処理部１３は、撮像素子１１から出力されるアナログの画素信号に所定のアナログ信号処理を施すものである。信号処理部１３は、ＣＤＳ（相関二重サンプリング）回路とＡＧＣ（オートゲインコントロール）回路とを有し、ＣＤＳ回路により画素信号のノイズの低減を行い、ＡＧＣ回路により画素信号のレベル調整を行う。
【００５１】
本実施形態においては、本露光動作の開始後、例えば１秒経過した時点において一般画素と分割画素の下受光部１１１ｂから画素信号を仮に読み出した場合に得られる画像は、図８（ｄ−１）に示すような画像となり、この図において黒線で示す、周囲より黒っぽい複数の筋の画像Ｐは、下受光部１１１ｂから出力された画素信号により生成される画素である。図８については後述する。
【００５２】
信号処理部１３は、長秒モニタリングモードの設定時において本露光動作が終了すると、各分割画素の下受光部１１１ｂから出力される画素信号の増幅率を、一般画素の画素信号と同等のレベルとなるように、該一般画素に対する増幅率の約２倍に設定する。これにより、記録画像を生成したときに、分割画素ラインの下受光部１１１ｂから出力される画素信号の画素値と、一般画素の画素信号の画素値とのレベル差が小さくなり、該記録画像に図５に示すような筋の画像Ｐが発生するのを防止し、または筋を目立たなくすることができる。
【００５３】
Ａ／Ｄ変換部１４は、信号処理部１３により出力されたアナログのＲ，Ｇ，Ｂの画素信号を、複数のビットからなるデジタルの画素信号にそれぞれ変換するものである。
【００５４】
画像メモリ１５は、Ａ／Ｄ変換部１４から出力される画素信号を一時的に格納するとともに、この画像信号に対して制御部１８により後述の処理を行うための作業領域として用いられるメモリである。
【００５５】
ＶＲＡＭ１６は、ＬＣＤ４に再生表示される画像の画素信号のバッファメモリであり、ＬＣＤ４の画素数に対応した画素信号の記録容量を有する。
【００５６】
操作部１７は、シャッターボタン９のレリーズ操作を検出するスイッチ、モード設定スイッチ７、４連スイッチ８及び長秒モニタリングスイッチ１０等を含むものである。
【００５７】
制御部１８は、例えば制御プログラムを記憶するＲＯＭや一時的にデータを記憶するＲＡＭからなる記憶部（後述する第１、第２画像記憶部２９，３０を含む）が内蔵されたマイクロコンピュータからなり、上述した各部材の駆動を関連付けて制御するものである。
【００５８】
ここで、長秒モニタリングモードの設定時に本露光動作中にもライブビュー画像をＬＣＤ４に表示する意義、及び撮像素子１１の分割画素ラインに位置する画素について、その受光部１１１の受光面を２分割する意義等について説明する。
【００５９】
長秒モニタリングモードにおいて露光時間が所定値より長いようなとき（例えばバルブ撮影モードでシャッターボタン９が比較的長時間全押し操作されたとき等）、その全押し操作開始以降に行われる撮像素子１１の露光動作によって得られる全ての画素信号を、メモリカードｍへの記録用として用いるように構成した場合、ライブビュー画像表示用として用いることのできる画素信号が無いため、本露光動作中において、メモリカードｍに記録される画像の状態をライブビュー画像としてＬＣＤ４に表示することはできない。
【００６０】
また、本露光動作の期間に、前述のライブビュー画像をＬＣＤ４に表示する構成を備えた場合であっても、各時点における被写体の状態を示した画像をライブビュー画像として表示する構成では、次のような不具合が生じる。
【００６１】
図６は、本露光動作が開始されてから１２秒間にわたって連続的に打ち上げられた３発の花火について、その１２秒間の期間における各時点でＬＣＤ４に表示されるライブビュー画像を示したものであり、この図６においては、各時点で、その１／３０秒前に撮像された被写体の状態がライブビュー画像として表示されている。
【００６２】
このようなライブビュー画像の表示方法では、この１２秒間のうちいずれかのタイミングで本露光動作の終了を指示しようとする場合に、その指示タイミングまでの花火の軌跡がＬＣＤ４に表示されないから、撮影者は、花火の状態を直接視認することで、例えば花火の状態が最も鮮やかになる等の所望の状態となるタイミングを予測し、その予測タイミングで撮像する被写体像を決定することとなる。
【００６３】
しかし、この場合、撮像装置１の一連の撮像動作が完了するまで、どのような画像が得られたのかが不明であり、また、メモリカードｍに記録された画像が所望の画像と大きく異なる場合がある。
【００６４】
以上の点に鑑みて、本実施形態では、撮像装置１に前述したような長秒モニタリングモードを備え、この長秒モニタリングモードの設定時には、シャッターボタン９の全押し操作が行われるまでの期間、すなわち本露光動作の開始が指示されるまでの期間に加えて、本露光動作の露光時間がライブビュー画像の表示周期（例えば１／３０秒）より著しく大きいとき、この本露光動作の期間（全押し状態が継続している期間に略相当）にもメモリカードｍに記録される画像の状態をライブビュー画像としてＬＣＤ４にリアルタイムで表示するようにしている。
【００６５】
そして、このような構成を実現するため、前述したように、撮像素子１１における分割画素における受光部１１１の受光面を２分割（上受光部１１１ａと下受光部１１１ｂ）することで、１つの垂直転送路１１２に対して２つの受光部（上受光部１１１ａ及び下受光部１１１ｂ）を備えるようにし、本露光動作の期間、この画素の上受光部１１１ａから出力される画素信号を一定の周期（例えば１／１０秒）で読み出し、この読み出した画素信号を用いて順次ライブビュー画像を生成しＬＣＤ４に表示する。
【００６６】
また、本実施形態では、メモリカードｍに記録される画像の状態をＬＣＤ４に表示させるため、図７に示すように、長秒モニタリングモードの設定時において、分割画素における下受光部１１１ｂ及び一般画素による本露光動作期間、前回の周期で生成されたライブビュー画像（正確には後述の加算画像）と今回の周期で得られる画像とを加算することで、今回のライブビュー画像を生成することにより、各時点で撮像される画像を重畳したライブビュー画像を表示する。
【００６７】
例えば、図７に示すように、シャッターボタン９の全押し操作の開始から１２秒後には、その１２秒間の期間に時間差をもって打ち上げられた３発の花火があたかも同時に開いたかのように画像が重畳されたライブビュー画像が生成され、そのライブビュー画像がＬＣＤ４に表示される。
【００６８】
そして、撮像装置１は、バルブ撮影モードにおいてはシャッターボタン９の全押し操作の解除により、バルブ撮影モード以外の撮影モードにおいては演算でまたは手動で設定された露光時間が経過すると、分割画素における下受光部１１１ｂ及び一般画素から出力される画素信号を用いて記録画像を生成する。
【００６９】
以上のような構成を実現すべく、図３に示すように、制御部１８は、機能的に、第１撮像制御部１９、第１記録制御部２０、加算処理部２１、アスペクト補正処理部２２、第２撮像制御部２３、第２記録制御部２４、記録画像生成部２５、画像処理部２６、表示制御部２７、画像圧縮部２８、第１画像記憶部２９及び第２画像記憶部３０を備えている。
【００７０】
第１撮像制御部１９は、長秒モニタリングモードの設定時においては、本露光動作の期間、分割画素の上受光部１１１ａから所定の周期（例えば１／３０秒）で画素信号を取り出す一方、分割画素の下受光部１１１ｂ及び一般画素からは画素信号を取り出さず露光動作を行わせるように、タイミングジェネレータ１２から撮像素子１１に出力されるクロック信号を制御するものである。
【００７１】
図８は、長秒モニタリングモードの設定時であってバルブ撮影モードにおいて、シャッターボタン９の全押し操作の開始から１２秒間にわたって連続的に打ち上げられた３発の花火について、前記開始タイミングから１秒経過した時点、４秒経過した時点、８秒経過した時点及び１２秒経過した時点を一例として、各時点において分割画素の上受光部１１１ａから得られる画像（ａ）と、後述する加算画像（ｂ）と、アスペクト補正画像（ｃ）と、分割画素の下受光部１１１ｂ及び一般画素から得られる画素信号で生成される画像（ｄ）と、メモリカードｍに記録する記録画像（ｅ）とを示したものである。
【００７２】
本実施形態においては、シャッターボタン９の全押し操作の開始による本露光動作の開始後、例えば１秒経過した時点で分割画素の下受光部１１１ｂ及び一般画素から画素信号を読み出したものと仮定した場合に得られる画像は図８（ｄ−１）に示すような画像となり、分割画素の上受光部１１１ａの画素信号で生成される画像は、この図８（ｄ−１）における黒線で示した複数のライン状の画像Ｐに対応するものとなる。
【００７３】
なお、第１撮像制御部１９は、本露光動作の開始が指示されるまでの期間においては、分割画素の上受光部１１１ａ及び下受光部１１１ｂから画素信号を取り出して該画素信号によりライブビュー画像を生成する。また、長秒モニタリングモードの非設定時は、本露光動作の開始が指示されるまで、前記分割画素の上受光部１１１ａ及び下受光部１１１ｂから画素信号を取り出して該画素信号によりライブビュー画像を生成し、本露光動作の開始が指示されると、画素信号を取り出すことなく略全ての画素に本露光動作を行わせる。
【００７４】
第１記録制御部２０は、長秒モニタリングモードの設定時に、本露光動作の開始から終了までの期間において、分割画素の上受光部１１１ａからＡ／Ｄ変換部１４等の処理を経て出力される画素信号（図８（ｄ）に示すライン状の画像Ｐに対応する画素信号）を、一時的に第１画像記憶部２９に記録するものである。第１記録制御部２０は、図８（ａ）に示すように、前述した複数のライン状の画像Ｐを垂直方向に隣接させた画像を生成し、この画像を第１画像記憶部２９に記録する。
【００７５】
加算処理部２１は、長秒モニタリングモードの設定時に、本露光動作の開始後における第２番目の周期以降、第１記録制御部２０により第１画像記憶部２９に画像が記録されるたびに、それらの画像を加算処理した加算画像を生成し、この加算画像を第１画像記憶部２９に記録するものである。なお、長秒モニタリングモードの設定時及び非設定時においてそれぞれ本露光動作が開始されるまでの期間は、この加算処理部２１による加算処理は施されず、各時点で撮像された画像が切替表示される。
【００７６】
図８に示すように、本露光動作の開始後、例えば１秒経過した時点では、加算処理部２１は、その時点において分割画素の上受光部１１１ａの画素信号からなる画像（ａ−１）と、その時点より１周期（例えば１／３０秒）前において生成された加算画像とを加算した加算画像（ｂ−１）を生成する。同様に、本露光動作の開始後、例えば４秒経過した時点、８秒経過した時点、１２秒経過した時点においても、加算処理部２１は、各時点で分割画素の上受光部１１１ａから出力される画素信号からなる画像（ａ−２），（ａ−３），（ａ−４）と、その時点より１周期（例えば１／３０秒）前において生成された加算画像とを加算した加算画像（ｂ−２），（ｂ−３），（ｂ−４）を生成する。
【００７７】
このように、今回の周期で得られた画素信号からなる画像をＰｎ（ｎ＝１，２，…，ｋ−１，ｋ）と表すものとすると、分割画素の上受光部１１１ａによる露光動作及びこの露光動作により得られる画素信号の読み出しをｎ回繰り返したときの加算画像Ｇｎは、Ｇｎ＝Ｐ１＋Ｐ２＋…＋Ｐｎとなる。
【００７８】
アスペクト補正処理部２２は、図８（ｃ）に示すように、加算処理部２１により生成された加算画像をＬＣＤ４に表示する際に、その加算画像をＬＣＤ４のアスペクトに補正し、そのアスペクト補正画像を第２画像記憶部３０に記録するものである。これにより、長秒モニタリングモードの設定時において、本露光動作の期間（シャッターボタン９の全押し操作が行われている期間）、各時点における被写体の画像を重畳させたライブビュー画像（動体の軌跡が全て表示された画像）をＬＣＤ４に表示することができる。
【００７９】
第２撮像制御部２３は、シャッターボタン９の全押し操作の解除により本露光動作の終了が指示されたとき、長秒モニタリングモードの設定時では、分割画素の下受光部１１１ｂ及び一般画素から画素信号を出力させるべくタイミングジェネレータ１２から撮像素子１１に出力されるクロック信号を制御し、長秒モニタリングモードの非設定時では、分割画素の上受光部１１１ａ及び下受光部１１１ｂを含む略全ての画素から画素信号を出力させるべくタイミングジェネレータ１２から撮像素子１１に出力されるクロック信号を制御するものである。
【００８０】
第２記録制御部２４は、第２撮像制御部２３による制御によりＡ／Ｄ変換部１４等を介して得られた画素信号を、一時的に第２画像記憶部３０に記録するものである。
【００８１】
記録画像生成部２５は、第２記録制御部２４により第２画像記憶部３０に記録された画素信号を用いて、メモリカードｍに記録する記録画像を生成するものである。すなわち、記録画像生成部２５は、長秒モニタリングモードの設定時には、例えば、図８（ｄ−４），（ｅ）に示すように、本露光動作の開始から１２秒経過した時点で本露光動作が終了されたものとすると、記録画像生成部２５は、この時点で分割画素の下受光部１１１ｂ及び一般画素からＡ／Ｄ変換部１４等の処理を経て得られる画素信号を用いて記録画像を生成する。
【００８２】
また、記録画像生成部２５は、長秒モニタリングモードの非設定時には、第２画像記憶部３０に記録された略全ての画素信号を用いて記録画像を生成する。
【００８３】
画像処理部２６は、アスペクト補正処理部２２から出力されるアスペクト補正画像、または記録画像生成部２５から出力される記録画像に対し、黒レベルを基準の黒レベルに補正する黒レベル補正、光源に応じた白の基準に基づいて、Ｒ（赤）、Ｇ（緑）、Ｂ（青）の各色成分のデジタル信号のレベル変換を行うホワイトバランスの調整、Ｒ（赤），Ｇ（緑），Ｂ（青）の各色のデジタル信号のγ特性を補正するγ補正を行うものである。
【００８４】
表示制御部２７は、画像処理部２６から出力される画像をＬＣＤ４に表示させるべく、その画像の画素データをＶＲＡＭ１６に転送するものである。これにより、長秒モニタリングモードの非設定時には、本露光動作が開始されるまでの期間に、また、長秒モニタリングモードの設定時には、本露光動作が開始されるまでの期間に加えて本露光動作期間中にも、ＬＣＤ４により被写体の状態（長秒モニタリングモードではメモリカードｍに記録される画像の状態）をライブビュー画像としてリアルタイムで表示することができる。
【００８５】
画像圧縮部２８は、画像処理部２６により上記各種の処理が施された記録画像の画素データに、２次元ＤＣＴ(Discrete Cosine Transform)変換、ハフマン符号化等のＪＰＥＧ（Joint Picture Experts Group）方式による所定の圧縮処理を施して圧縮画像データを生成し、この圧縮画像データに、撮影画像に関する情報（圧縮率等の情報）を付加した画像ファイルをメモリカードｍに記録するものである。
【００８６】
メモリカードｍには、画像データが時系列的に配列して記録され、各コマ毎に、ＪＰＥＧ方式により圧縮された圧縮画像が、撮影画像に関するインデックス情報（コマ番号、露出値、シャッタースピード、圧縮率、撮影日、撮影時のフラッシュのオンオフのデータ、シーン情報等の情報）とともに記録される。
【００８７】
次に、本実施形態の撮像装置１の特徴部分である長秒モニタリングモードの設定時における撮像処理を、図９に示すタイムチャートを用いて説明する。
【００８８】
図９に示すように、長秒モニタリングモードの設定時においては、時刻Ｔ＝Ｔ１でシャッターボタン９の全押し操作が行われるまで、分割画素の上受光部１１１ａの画素信号によりライブビュー画像が生成され、表示制御部２７は、このライブビュー画像をＬＣＤ４に表示させる。なお、ここでは、撮像装置１がバルブ撮影モードに設定されていることを前提としているため、メカニカルシャッターは、シャッターボタン９の全押し操作が解除されるまで開放状態が継続され、分割画素の上受光部１１１ａ、下受光部１１１ｂ及び一般画素はその解除時点まで継続して露光動作を行う。
【００８９】
そして、時刻Ｔ＝Ｔ１でシャッターボタン９の全押し操作が開始されると、第１撮像制御部１９は、その全押し開始タイミングより所定時間遅延した時刻Ｔ＝Ｔ２から、分割画素の上受光部１１１ａに１／１０秒の周期で画素信号を出力させる一方、分割画素の下受光部１１１ｂ及び一般画素からは画素信号を出力させることなく露光動作を継続して行わせる。
【００９０】
そして、第１記録制御部２０は、第１画像記憶部２９の記憶領域をクリアにした後、１／１０秒の周期で分割画素の上受光部１１１ａから読み出した画素信号を第１画像記憶部２９に記憶させる。この取得した画素信号がシャッターボタン９の全押し開始以降の第１回目の周期で得られたものである場合には、加算処理部２１による加算処理を実行せず、アスペクト補正処理部２２及び画像処理部２６は、アスペクト補正処理等の各種処理を施す。一方、前記読み出した画素信号が第２回目以降の周期で得られたものである場合には、加算処理部２１は、各時点で分割画素の上受光部１１１ａから出力され第１画像記憶部２９に記録された画像と、その時点より１周期前において生成された加算画像とを加算する加算処理を行った後、アスペクト補正処理部２２及び画像処理部２６は、アスペクト補正処理等の各種処理を施す。
【００９１】
そして、アスペクト補正処理等の処理が終了すると、表示制御部２７は、この処理後の画像をＬＣＤ４に表示させ、シャッターボタン９の全押し操作が解除されるまで前述の処理が繰り返し行われる。これにより、ＬＣＤ４には、各時点で撮像された画像が重畳されたライブビュー画像が表示される。
【００９２】
図９は、ライブビュー画像の表示周期が１／３０秒とされているため、次の周期で得られる画素信号を取得するまでの間（１／１０秒間）、分割画素の上受光部１１１ａから各周期で画素信号により構成される画像が、それぞれ３回ずつＬＣＤ４に表示されることを示している。例えば、本露光動作の開始以降、第１回目の周期、すなわち「蓄積１」の期間で分割画素の上受光部１１１ａから得られた画素信号「出力１」が、「画像１」として３回ＬＣＤ４に表示される。また、第２回目の周期、すなわち「蓄積２」の期間で分割画素の上受光部１１１ａから得られた画素信号「出力２」が、この画素信号により構成される「画像２」と前述の「画像１」とが加算され、この加算画像「画像１＋２」が３回ＬＣＤ４に表示される。また、図９においては、本露光動作中におけるライブビュー画像表示のための上受光部１１１ａの画素信号の読み出し動作（垂直転送路への電荷の転送等）が５０回にわたって周期的に行われたことを示す。
【００９３】
そして、時刻Ｔ＝Ｔ３でシャッターボタン９の全押し操作が解除されると、メカニカルシャッターが閉められその解除タイミングより所定時間遅延した時刻Ｔ＝Ｔ４で、シャッターボタン９の全押し操作の開始以降、露光動作を継続して行っていた分割画素の下受光部１１１ｂ及び一般画素による露光動作が終了され、第２撮像制御部２３は、時刻Ｔ＝Ｔ２から時刻Ｔ＝Ｔ４までの「蓄積α」の期間、画素信号が読み出されることなく継続して行われた分割画素の下受光部１１１ｂ及び一般画素による露光動作によって生成された画素信号「出力α」をその分割画素の下受光部１１１ｂ及び一般画素に出力させ、第２記録制御部２０は、この画素信号「出力α」を第２画像記憶部３０に記憶させる。
【００９４】
その後、画像処理部２６は、第２画像記憶部３０に記憶された画素信号「出力α」に対し黒レベル補正等の処理を施した後、画像圧縮部２８は、圧縮処理を施してこの圧縮後の画像をメモリカードｍに記録する。なお、表示制御部２７は、シャッターボタン９の全押し操作が解除される直前に生成された加算画像「１＋…＋４９」に対してアスペクト補正処理等の各種処理を施された画像を所定時間ＬＣＤ４に表示させる。
【００９５】
このように、本実施形態においては、特定の画素ラインに位置する画素の受光部１１１の受光面を２分割した撮像素子１１を撮像装置１に搭載し、長秒モニタリングモードの設定時において、シャッターボタン４の全押し操作の解除により本露光動作が終了するまでの期間、その分割画素における上受光部１１１ａから出力される画素信号を用いてライブビュー画像を生成するとともに、分割画素における下受光部１１１ｂと一般画素とにより本露光動作を行うようにしたので、本露光動作を行いつつ、ライブビュー画像を確実にリアルタイムでＬＣＤ４に表示することができる。
【００９６】
また、１つの画素に対して１つの受光部１１１しか設けず、特定の画素ラインをＬＣＤ４に表示する画像用として用いる従来の場合には、被写体像の記録が指示されたときに、この特定の画素ラインの画素から記録画像を生成するための画素信号が得られないから、記録画像のうちこの特定の画素ラインに対応する部位で画像が欠落することとなる。これに対し、本実施形態においては、分割画素における下受光部１１１ｂを記録画像の生成用として利用したから、上記分割画素の画素ラインから記録画像を生成するための画素信号が得られ、従来に比して欠落する部位のない綺麗な画像を得ることができる。
【００９７】
また、分割画素における上受光部１１１ａ及び下受光部１１１ｂから出力される画素信号の増幅率を一般画素の２倍に設定したので、上受光部１１１ａ及び下受光部１１１ｂから出力される画素信号の画素値が、一般画素の画素信号の画素値と略同レベルとなり、これにより、記録画像における分割画素に対応する位置に、周囲の部分と色や明るさが異なる筋が発生するのを防止または抑制することができる。
【００９８】
さらに、撮像素子１１として、ライブビュー画像の画素の配列がベイヤー配列となるように分割画素の画素ラインを設定したものを採用したので、適正な色を再現した綺麗なライブビュー画像を得ることができる。
【００９９】
なお、本発明は、上記実施形態に限らず、他の実施形態（１）〜（９）も採用可能である。
【０１００】
（１）上記実施形態においては、３番目、８番目及び１３番目の画素ラインを分割画素の画素ラインとして構成された撮像素子１１を搭載したが、これに限られるものではなく、撮像素子１１の垂直方向における画素数が例えば２８８０（個）、ＬＣＤ４の垂直方向における表示画素数が２４０（個）の場合には、１２個の画素ライン毎に１個の画素ラインを分割画素ラインとして設定するというように、撮像素子１１の画素数とＬＣＤ４の表示画素数との比に応じて設定された画素ラインを分割画素の画素ラインとして構成された撮像素子を搭載すればよい。
【０１０１】
（２）上記実施形態においては、特定の画素ラインにおいてのみ、受光部１１１を２分割した画素を備える撮像素子１１を用いたが、これに限らず、図１０（ａ）に示すように、撮像素子１１の略全ての画素が、１の転送路に対して２の受光部（上受光部１１１ａ’，下受光部１１１ｂ’）を備えた一般的なインターライン型の撮像素子を用いてもよい。
【０１０２】
このような撮像素子１１を搭載する撮像装置１においては、図１０（ａ）に示すように、長秒モニタリングモードの設定時、本露光動作の期間は、特定の画素ライン（図１０（ａ）においては３番目、８番目及び１３番目の画素ライン）の画素の上受光部１１１ａ’からの画素信号を読み出し、この読み出した画素信号によりライブビュー画像を生成する。
【０１０３】
そして、シャッターボタン９により本露光動作の終了が指示されると、図１０（ｃ）に示すように、前記特定の画素ラインにおける画素の下受光部１１１ｂと、前記特定の画素ライン以外の他の画素ラインにおける画素の上受光部１１１ａ’及び下受光部１１１ｂ’とから画素信号を読み出す。その際、前記他の画素ラインに位置する画素については、上受光部１１１ａ’及び下受光部１１１ｂ’から読み出された画素信号が垂直転送路で加算され、この加算後の画素信号が順次水平転送路に転送される。そして、これらの画素信号により記録画像を生成する。
【０１０４】
この場合、上記実施形態のように、特定の画素ラインに位置する画素のみ受光部が２分割された特殊な撮像素子を構成する必要はなく、一般的に用いられているインターライン型の撮像素子を用いて、長秒モニタリングモードの設定時における本露光動作中のライブビュー画像の表示及び綺麗な記録画像の生成を実現することができる。
【０１０５】
なお、長秒モニタリングモードの設定時及び非設定時において本露光動作が開始されるまでの期間は、前記特定の画素ラインにおける画素の上受光部１１１ａ及び下受光部１１１ｂから得られる画素信号を用いてライブビュー画像が生成される。この場合も、各分割画素における両方の受光部１１１ａ，１１１ｂから出力される画素信号を垂直転送路１１２で加算した上で、当該分割画素の画素信号として出力することで、前述のような増幅処理を省略することができる。
【０１０６】
（３）上記実施形態においては、受光部１１１を２分割したので、分割画素の各受光部１１１ａ，１１１ｂから得られる画素信号を、一般画素に対する増幅率の２倍に設定したが、受光部１１１ａ，１１１ｂの受光面積が一般画素の例えば１／３であるときには、この分割画素の受光部１１１ａ，１１１ｂから得られる画素信号を、一般画素に対する増幅率の３倍に設定するとよい。一般的に、分割画素の受光部１１１ａ，１１１ｂの受光面積が一般画素のｎ倍であるときには、この受光部１１１ａ，１１１ｂから得られる画素信号を、一般画素に対する増幅率の１／ｎ倍に設定するとよい。
【０１０７】
（４）上記実施形態においては、撮像装置１がバルブ撮影モードの設定時であって長秒モニタリングモードに設定された場合について説明したが、マニュアルモードを始めとする他の撮影モードの設定時であって長秒モニタリングモードに設定された場合においても、本露光動作中、分割画素の上受光部１１１ａから画素信号を読み出してライブビュー画像を表示するとともに、本露光動作が終了すると分割画素の下受光部１１１ｂ及び一般画素から画素信号を得て記録画像を生成するようにしてもよい。
【０１０８】
（５）上記実施形態では、被写体の画像を表示するものとしてＬＣＤ４を備え、ＬＣＤ４にライブビュー画像等を表示するようにしたが、これに限らず、光学ファインダー５の代わりに電子ビューファインダーが備えられている場合には、電子ビューファインダーにもライブビュー画像を表示するようにしてもよい。
【０１０９】
（６）上記実施形態では、撮像素子を駆動するための駆動制御信号の生成の容易さの点から、プログレッシブ転送方式の撮像素子を採用したが、インターレース転送方式の撮像素子を採用した撮像装置にも本発明の適用は可能である。
【０１１０】
（７）上記実施形態では、画像を記録する手段として、メモリカードｍを採用したが、これに限られず、当該撮像装置１が、例えばコンピュータなど記憶容量を有する機器と、通信ケーブル、あるいは通信ネットワークを介して通信可能に構成されている場合には、そのコンピュータ等の機器に画像を記録するようにしてもよい。
【０１１１】
（８）本発明は、図１１に示すように、八角形状の画素が市松格子状に配設された所謂ハニカムＣＣＤにも採用可能である。
【０１１２】
すなわち、図１１に示すように、隣接するＲＧＢの画素の列を１の画素ライン（例えばＲ１，Ｒ２）とみなし、上記実施形態と同様に、特定の画素ラインにおける画素が分割された撮像素子を撮像装置１に搭載してもよいし、あるいは、Ｒ，Ｂの画素の列を１の画素ライン、Ｇの画素の列を１の画素ラインとみなし、特定の画素ラインにおける画素が分割された撮像素子を撮像装置１に搭載してもよい。なお、後者の場合、画像の歪みや偽色の少ない綺麗なライブビュー画像を得るため、ＬＶ表示用として取り出した画素信号の配列について、Ｒ，Ｂの画素ラインとＧの画素ラインとから垂直方向（図１１の縦方向）に交互に画素信号を取り出すようにするのが好ましい。
【０１１３】
（９）前記実施形態においては、撮像素子１１として、各光電変換素子の受光面に原色フィルター（Ｒ（赤），Ｇ（緑），Ｂ（青）のカラーフィルタ）を配設した撮像素子を採用したが、これに限られず、補色フィルター（Ｃ（シアン）、Ｍ（マゼンタ）、Ｙ（イエロー））を配設した撮像素子を採用してもよい。
【０１１４】
以上、説明した撮像装置１は、以下の付記１〜８に示す発明を主に含む。
【０１１５】
［付記１］  それぞれ異なる色を受光する複数種類の画素を備え、各画素を一方向に配列してなる画素ラインが前記一方向と交差する交差方向に複数配置してなり、前記複数の画素ラインのうち前記交差方向に所定の間隔で並ぶ第１の画素ラインが、同色の光を受光する受光部を１の転送部に対して２つ以上備える画素により構成される撮像素子と、所定の記録部に記録する記録用画素信号を生成するための露光動作の開始を前記撮像素子に指示するための入力操作部と、前記入力操作部により前記露光開始指示が行われると、前記第１の画素ラインに位置する各画素の一部の受光部から所定の時間間隔で画素信号を出力させる撮像制御部と、前記一部の受光部から得られる画素信号により画像を生成する第１画像生成部と、前記第１画像生成部により生成された画像を表示する画像表示部と
を備えることを特徴とする撮像装置。
【０１１６】
［付記２］  前記入力操作部により前記露光開始指示が行われると、前記撮像素子における前記一部の受光部以外の他の受光部による露光動作によって得られる画素信号を用いて、前記所定の記録部に記録するための画像を生成する第２画像生成部と、前記第２画像生成部により生成される画像を前記所定の記録部に記録する記録制御部とを備えることを特徴とする請求項１に記載の撮像装置。
【０１１７】
［付記３］  前記第１の画素ラインに位置する画素の各受光部の受光面積が、前記第１の画素ライン以外の第２の画素ラインに位置する画素の各受光部の受光面積と異なるとき、前記第２画像生成部は、前記第１の画素ラインに位置する各画素における各受光部により得られる画素信号の画素値を、前記第２の画素ラインに位置する画素の各受光部により得られる画素信号の画素値と異なる増幅率で増幅することを特徴とする請求項２に記載の撮像装置。
【０１１８】
［付記４］  前記第１の画素ラインに位置する画素における前記一部の受光部以外の他の受光部が前記一部の受光部のｎ倍の受光面積を有するとき、前記第２画像生成部は、前記他の受光部により得られる画素信号の増幅率を、前記第２の画素ラインに位置する画素の受光部により得られる画素信号の増幅率の略（１＋１／ｎ）倍に設定することを特徴とする請求項３に記載の撮像装置。
【０１１９】
［付記５］  前記撮像素子は、各画素が同色の光を受光する受光部を１の転送部に対して２つ備えるインターライン型の撮像素子であることを特徴とする請求項１または２に記載の撮像装置。
【０１２０】
［付記６］  前記第１画像生成部は、前記入力操作部により前記露光開始指示が行われると、前記所定の時間毎に前記第１の画素ラインに位置する各画素の一部の受光部から得られる画素信号を順次加算してなる加算画像を生成し、前記画像表示部は、前記加算画像を表示することを特徴とする付記１ないし５のいずれかに記載の撮像装置。
【０１２１】
この発明によれば、入力操作部により露光開始指示が行われると、前記所定の時間毎に前記一部の画素ラインから得られる画素信号を順次加算してなる加算画像を生成し、加算画像を画像表示部に表示するようにしたので、入力操作部により露光開始指示が行われると、所定の時間間隔で撮像素子から出力される画素信号により得られる画像が重畳して画像表示部に表示される。これにより、撮影者は、画像表示部に表示される画像を視認することで、被写体の状態変化を確認することができる。
【０１２２】
［付記７］  前記入力操作部は、さらに、前記所定の記録部に記録する画像を得るための前記撮像素子による露光動作の露光時間を指示する機能を有しており、前記画像生成部は、前記入力操作部により指示される露光時間が前記所定の時間より長いときに前記画像を生成することを特徴とする付記１ないし６のいずれかに記載の撮像装置。
【０１２３】
この発明によれば、入力操作部により指示される露光時間が前記所定の時間より長いときに前記画像を生成するようにしたので、所定の記録部に記録する画像を得るための撮像素子による露光期間中、画像表示部に被写体の画像を所定の時間毎に表示することができる。
【０１２４】
［付記８］  前記撮像素子は、前記交差方向に所定数の画素ラインおきに交互に並ぶ異種の画素ラインを前記第１の画素ラインとして構成されたものであることを特徴とする付記１ないし７のいずれかに記載の撮像装置。この発明によれば、撮像素子は、前記交差方向に所定数の画素ラインおきに交互に並ぶ異種の画素ラインを前記第１の画素ラインとして構成されたものであるから、画像の歪みや偽色の少ない比較的綺麗な画像を画像表示部に表示することができる。
【図面の簡単な説明】
【０１２５】
【図１】本発明に係る撮像装置の正面図である。
【図２】本発明に係る撮像装置の背面図である。
【図３】撮像装置のシステムを示すブロック構成図である。
【図４】（ａ）は、撮像素子における画素の配列構造、（ｂ）は、長秒モニタリングモードの設定時に本露光動作中においてライブビュー画像の表示用として用いられる画素、（ｃ）は、メモリカードへの記録用として用いられる画素を示す図である。
【図５】（ａ）は、撮像素子における画素の配列構造、（ｂ）は、長秒モニタリングの非設定時等にライブビュー画像表示用として用いられる画素と、（ｃ）は、メモリカードへの記録用として用いられる画素を示す図である。
【図６】従来のライブビュー画像の一例を示す図である。
【図７】本発明に係る撮像装置において表示されるライブビュー画像の一例を示す図である。
【図８】長秒モニタリングモードの設定時において、シャッターボタンの全押し操作が開始されてから１２秒間にわたって連続的に打ち上げられた３発の花火について、１秒経過した時点、４秒経過した時点、８秒経過した時点及び１２秒経過した時点を一例として、各時点において、分割画素における上受光部の露光動作により得られる画像と、後述する加算画像及びアスペクト補正画像と、分割画素における下受光部と一般画素とから出力される画素信号により得られる画像と、メモリカードに記録する記録画像を示した図である。
【図９】本発明に係る撮像装置の長秒モニタリング撮影モードにおける撮像処理を示すタイムチャートである。
【図１０】撮像素子の変形例を示す図である。
【図１１】同じく撮像素子の変形例を示す図である。
【符号の説明】
【０１２６】
１    撮像装置
４    ＬＣＤ
９    シャッターボタン
１０  長秒モニタリングスイッチ
１１  撮像素子
１２  タイミングジェネレータ
１８  制御部
１９  第１撮像制御部
２０  第１記録制御部
２１  加算処理部
２２  アスペクト補正処理部
２３  第２撮像制御部
２４  第２記録制御部
２５  記録画像生成部
２６  画像処理部
２７  表示制御部
２８  画像圧縮部
２９  第１画像記憶部
３０  第２画像記憶部
【図１】
2005117276.tif 000003
【図２】
2005117276.tif 000004
【図３】
2005117276.tif 000005
【図４】
2005117276.tif 000006
【図５】
2005117276.tif 000007
【図６】
2005117276.tif 000008
【図７】
2005117276.tif 000009
【図８】
2005117276.tif 000010
【図９】
2005117276.tif 000011
【図１０】
2005117276.tif 000012
【図１１】
2005117276.tif 000013